【事件の表示】
　特願２０１０−５１８４０５「従来の有線を基にしたプロトコルのための無線アーキテクチャ」拒絶査定不服審判事件〔平成２１年　１月２９日国際公開、ＷＯ２００９／０１５３２２、平成２２年１１月１１日国内公表、特表２０１０−５３４９８０〕について、次のとおり審決する。
【結　論】
　本件審判の請求は、成り立たない。
【理　由】
第１．手続の経緯
　本願は、２００８年（平成２０年）７月２５日（パリ条約による優先権主張２００７年（平成１９年）７月２５日、２００８年（平成２０年）７月２４日、アメリカ合衆国）を国際出願日とする出願であって、平成２４年１月１２日付けで拒絶理由が通知され、平成２４年４月１２日付けで手続補正がなされたが、平成２４年５月１１日付けで拒絶査定がなされ、これを不服として、平成２４年９月２４日に審判請求がなされるとともに、同日付けで手続補正がなされたものである。
　
第２．平成２４年９月２４日付けの手続補正についての補正却下の決定
［補正却下の決定の結論］
　　平成２４年９月２４日付けの手続補正を却下する。
［理由］
１．補正の内容
　この手続補正により補正された特許請求の範囲の請求項７は、補正前の請求項７を補正したものであり、補正前後の請求項７は、次のとおりである。
　
（１）補正前の請求項７
「ローカルエリアにおける複数の無線ＭＤＤＩクライアント能力機器に関する情報を収集するためにサービス発見処理を実行し、前記複数の無線ＭＤＤＩクライアント能力機器のうち少なくとも１つと結合するための要求を受信し、前記複数の無線ＭＤＤＩクライアント能力機器の各々のセキュリティ能力を判断し、セキュリティ結合手順を実行し、前記複数の無線ＭＤＤＩクライアント能力機器のうち少なくとも１つと結合し、送信するデータの大きさ、または、順方向と逆方向の期待されるトラフィック比率に基づいてチャネル時間割り当てを設定することに関する命令を保持するメモリと、
　前記メモリに結合され、前記メモリに保持された命令を実行するように構成されたプロセッサと、
　を備える無線通信装置。」
　
（２）補正後の請求項７
「ローカルエリアにおける複数の無線ＭＤＤＩクライアント能力機器に関する情報を収集するためにサービス発見処理を実行し、前記複数の無線ＭＤＤＩクライアント能力機器のうち少なくとも１つと結合するための要求を受信し、前記複数の無線ＭＤＤＩクライアント能力機器の各々のセキュリティ能力を判断し、セキュリティ結合手順を実行し、前記複数の無線ＭＤＤＩクライアント能力機器のうち少なくとも１つと結合することに関する命令を保持するメモリと、
　前記メモリに結合され、前記メモリに保持された命令を実行するように構成されたプロセッサと、
　を備え、
　前記セキュリティ結合手順は、ランダムに生成され交換された秘密情報から導出された値のうち少ない桁数をそれぞれのディスプレイに表示し、表示された情報が合致していることをユーザに検証させることを含む無線通信装置。」
　
２．補正の適否
　この補正は、補正前の請求項７に係る発明が備えるメモリが保持する「送信するデータの大きさ、または、順方向と逆方向の期待されるトラフィック比率に基づいてチャネル時間割り当てを設定することに関する命令」を削除し、さらに、発明を特定する事項である「セキュリティ結合手順」を「前記セキュリティ結合手順は、ランダムに生成され交換された秘密情報から導出された値のうち少ない桁数をそれぞれのディスプレイに表示し、表示された情報が合致していることをユーザに検証させることを含む」と限定するものである。
　この補正のうち、前者の「送信するデータの大きさ、または、順方向と逆方向の期待されるトラフィック比率に基づいてチャネル時間割り当てを設定することに関する命令」を削除することは、補正前の請求項７に係る発明を特定する事項である命令を削除することであり、後者のセキュリティ結合手順の限定を行ったとしても、この補正により発明は、該命令を含むメモリを備えた装置から該命令を含むという限定をしないメモリを備えた装置へと拡張されたものとなる。
　したがって、この補正は特許請求の範囲の減縮を目的とするものとはいえない。また、この補正が請求項の削除、誤記の訂正、明りようでない記載の釈明の何れを目的とするものともいえないことは明らかである。
　
　よって、この補正は、特許法第１７条の２第５項の規定に違反してなされたものであるから、同法第１５９条第１項において読み替えて準用する同法第５３条第１項の規定により却下すべきものである。
　
第３．本願発明について
１．本願発明
　平成２４年９月２４日付けの手続補正は上記のとおり却下されたので、本願の請求項１−５０に係る発明は、平成２４年４月１２日付けの手続補正で補正された特許請求の範囲の請求項１−５０に記載された事項により特定されるものであるところ、その請求項７に係る発明（以下、「本願発明」という）は、次のとおりのものである。
　
「ローカルエリアにおける複数の無線ＭＤＤＩクライアント能力機器に関する情報を収集するためにサービス発見処理を実行し、前記複数の無線ＭＤＤＩクライアント能力機器のうち少なくとも１つと結合するための要求を受信し、前記複数の無線ＭＤＤＩクライアント能力機器の各々のセキュリティ能力を判断し、セキュリティ結合手順を実行し、前記複数の無線ＭＤＤＩクライアント能力機器のうち少なくとも１つと結合し、送信するデータの大きさ、または、順方向と逆方向の期待されるトラフィック比率に基づいてチャネル時間割り当てを設定することに関する命令を保持するメモリと、
　前記メモリに結合され、前記メモリに保持された命令を実行するように構成されたプロセッサと、
　を備える無線通信装置。」
  
２．刊行物１発明
（１）刊行物１の記載事項
　原査定の拒絶の理由で引用された本願の優先権主張の日前に頒布された刊行物である米国特許出願公開第２００７／０１４１９８８号明細書（以下、「刊行物１」という）には、次の事項が記載されている。
　
「[0009] Another embodiment of the invention relates to a method of accessing, by a first device, a service provided by a second device that is in the proximity of first device. The method includes receiving an information element comprising compressed information related to the service provided by the second device, prior to establishing a connection between the first device and the second device that is suitable for providing the service. The method also includes determining if the service is desired. The method further includes establishing a connection between the first device and the second device, if the service is desired.」
［訳：[０００９] 本発明の別の実施形態は、第１の装置の近傍に存在する第２の装置によって提供されるサービスに第１の装置によってアクセスする方法に関する。本方法は、第１の装置と、要求されたサービスの提供に適切な第２の装置との間に接続を確立する前に、第２の装置によって提供されるサービスに関する圧縮した情報を含む情報要素を受信することを含む。本方法はまた、第２の装置によって提供されるサービスが望まれるか否かを決定することを含む。本方法はさらに、第２の装置によって提供されるサービスが望まれるものであれば、第１の装置と第２の装置との間に接続を確立することを含む。］
　
「[0021] In accordance with aspects of the invention, discovery of services prior to establishing a connection with a device may enable a user of a wireless-enabled device (e.g., a laptop computer, PDA or telephone) to find a device that provides a desired service in the proximity of the wireless-enabled device. For example, in one aspect of the invention, a service provided by a local device may be discovered by sending and receiving radio messages prior to establishing a connection with the device. The services that are discovered are likely to be nearby because they are within the radio range of the wireless-enabled device seeking the service(s). For example, if a person brings a laptop to a meeting in an unfamiliar office building, the laptop may exchange wireless messages with devices nearby. His laptop screen may display a list of devices that provide services nearby, e.g., nearby wireless printers, and the types of services they provide. He may then select an appropriate device with which a wireless connection will be established. As a result, obtaining the desired service may be facilitated.」
［訳：[００２１] 本発明の特徴に従って、装置との接続を確立する前のサービス検索は、無線通信可能装置（例えばラップトップコンピュータ、ＰＤＡ又は電話）のユーザが、無線通信可能装置の近傍にある所望のサービスを提供する装置を見出すことを可能にする。例えば、本発明の一特徴においては、装置との接続を確立する前に、無線メッセージを送受信することにより、ローカル装置によって提供されるサービスを検索できる。検索されたサービスが、サービス（単数又は複数）を探している無線通信可能装置の電波領域内にあるならば、それらは近くに存在し得る。例えば、不案内なオフィスビルの会議に人がラップトップを持ち込む場合、ラップトップは、近くの装置と無線メッセージを交換できる。彼のラップトップ画面には、サービスを提供する近くの装置のリスト、例えば近くの無線プリンタ及びそれらが提供するサービスのタイプを表示できる。その後、彼は無線接続を確立する適切な装置を選択できる。その結果、所望のサービスを容易に取得できる。］
  　
「[0024] FIG. 1  is a diagram illustrating an example of a network environment  100  in which devices may communicate regarding service discovery according to some embodiments of the invention.  FIG. 1  illustrates an example of a wireless-enabled device  102 , e.g., a laptop computer, and examples of other devices with which device  102  may communicate wirelessly, including: printer  104 , personal digital assistant (PDA)  106 , camera  108  and access point  110 .  FIG. 1  also illustrates an example of a speaker system  112  and wired network  114  that are communicatively coupled to access point  110 . Devices in the network environment  100  may communicate wirelessly using any suitable wireless standard such as 802.11x, Bluetooth or Ultrawideband (UWB). 」
［訳：[００２４] 図１は、本発明のいくつかの実施形態によるサービス検索に関し、装置が通信可能なネットワーク環境（１００）の一例を示す図である。図１は、無線通信可能装置（１０２）の一例例えばラップトップコンピュータと、プリンタ（１０４）、携帯情報端末（ＰＤＡ）（１０６）、カメラ（１０８）及びアクセスポイント（１１０）を含む、装置（１０２）が無線で通信できる他の装置の例を示す。図１はまた、アクセスポイント（１１０）と通信可能に接続されるスピーカシステム（１１２）及び有線ネットワーク（１１４）の一例を示す。ネットワーク環境（１００）における装置は、８０２．１１ｘ又は超広帯域（ＵＷＢ）などの任意の適切な無線規格を使用し、無線通信できる。］
  　
「[0027] FIG. 2  illustrates an example of a method  200  of accessing a service that may be used by device  102  in the environment shown in  FIG. 1 . In step S 202 , wireless-enabled device  102  may send a request message that requests a particular service. Wireless-enabled device  102  may broadcast the request message, e.g. a radio message, requesting a particular service, e.g., a printing service. In one aspect of the invention, the request message may be included in an 802.11x probe message. The request message may be encoded with information that represents the type of service sought by wireless-enabled device  102 . For example, the radio message may be encoded with information, which, when received and decoded, indicates that a printing service has been requested. The request message may be broadcast repeatedly until wireless-enabled device  102  receives a response message. For example, the request message may be broadcast periodically. 
[0028] As illustrated in  FIG. 1 , devices that receive the request message may be present in the proximity  116  of wireless-enabled device  102 . The proximity  116  of wireless-enabled device  102  may be defined by the radio range of wireless-enabled device  102  and/or a range of devices receiving the request message. As one example, the proximity  116  of wireless-enabled device  102  may include the space within approximately  100  meters of wireless-enabled device  102 . The radio range may be greater than or less than 100 meters depending on various factors including the technology used, the strength of the transmitter, the amount of noise present on the channel, the physical environment in which wireless-enabled device  102  operates, etc. However, the proximity  116  of wireless enabled device  102  need not necessarily be defined by the radio range, but may be determined based on other factors, as will be discussed in further detail below. A device in the proximity  116  of wireless-enabled device  102  may receive the request message. 」
［訳：[００２７] 図２は、図１に示される環境における装置（１０２）によって利用され得るサービスにアクセスする方法（２００）の一例を示す。ステップ（Ｓ２０２）においては、無線通信可能装置（１０２）は、特定のサービスをリクエストする要求メッセージを送信できる。無線通信可能装置（１０２）は、特定のサービス、例えば印刷サービスをリクエストする要求メッセージ、例えば無線メッセージをブロードキャストできる。本発明の一特徴においては、要求メッセージは、８０２．１１ｘプローブメッセージに含まれ得る。要求メッセージは、無線通信可能装置（１０２）によって検索されるサービスのタイプを表わす情報と共に、符号化され得る。例えば、無線メッセージは、受信され復号された時に、印刷サービスがリクエストされていることを示す情報と共に符号化され得る。要求メッセージは、無線通信可能装置（１０２）が応答メッセージを受信するまで反復してブロードキャストされ得る。例えば、定期的に要求メッセージをブロードキャストできる。
[００２８] 図１に例示されるように、要求メッセージを受信する装置は、無線通信可能装置（１０２）の近傍（１１６）に存在し得る。無線通信可能装置（１０２）の近傍（１１６）は、無線通信可能装置（１０２）の電波領域及び／又は要求メッセージを受信する装置の電波領域によって定義され得る。一例として、無線通信可能装置（１０２）の近傍（１１６）は、無線通信可能装置（１０２）の約１００メートル以内の空間を含み得る。電波領域は、送信器の強さ、チャンネルに存在する雑音量、無線通信可能装置（１０２）が作動する物理的環境など、使用される技術を含む多様な要素に従って、１００メートルより多いか又は少ないことがあり得る。しかし、無線通信可能装置（１０２）の近傍（１１６）は、以下更に詳細に論述されるように、必ずしも電波領域によって定義される必要はなく、他の要素に基づいて決定され得る。無線通信可能装置（１０２）の近傍（１１６）内の装置は、要求メッセージを受信できる。］
　　
「[0031] In some circumstances, a device such as printer  104  may require authentication for a connection to be established. If authentication is required, the user of wireless-enabled device may be prompted to enter a password, pin or other identification number such as an identification number derived from biometric information, e.g., a fingerprint, or retinal scan. Authentication may be provided using any suitable security protocol, such as IPsec. Authentication may alternately be based on payment or billing information, e.g., so that services are only provided once a payment agreement has been reached. If the authentication is successful, a connection may then be established. 」
［訳：[００３１] 状況によっては、プリンタ（１０４）などの装置が、接続を確立するための認証を要求し得るものがある。認証が要求される場合、無線通信可能装置のユーザは、パスワード、ピンコード又は生体情報、例えば指紋又は網膜読み取り等の生体情報から取得される識別番号などの他の識別番号を入力するように促され得る。認証は、インターネットプロトコルセキュリティ（ＩＰｓｅｃ）などの任意の適切なセキュリティプロトコルを使用し、提供され得る。あるいはまた認証は、例えば、一度支払契約に達したサービスだけを提供する支払い又は課金情報に基づくことができる。認証が成功した場合、その後、接続を確立できる。］
　
「[0037] In response to determining that it provides the requested service, printer  104  may respond by sending a response message, e.g., a radio message that includes an IE, to wireless-enabled device  102  in step S 306 . PDA  106 , camera  108  and access point  110  may also receive the request message, but may not respond to the request message because they do not provide the type of service requested. Alternatively, the request received in step S 302  may be a general request for local devices to provide an indication of services provided, regardless of service type. In this case, PDA  106 , camera  108 , access point  110 , etc. may respond accordingly.
[0038] The response message may include information about the service(s) provided by the device. For example, the response message sent by printer  104  may include information about the printing services provided by printer  104 . The response message may be encoded with information about whether printer  104  is a color printer, whether it can print on both sides of a page and/or or other information. Information about services may be sent as an information element (IE) discussed below. Thereafter, if the device  102  wishes to establish a connection, the connection may be established in step S 308  so that the device  102  may obtain the desired service.」
［訳：[００３７] 要求されたサービスを提供することを決定したことに応答し、プリンタ（１０４）は、ステップ（Ｓ３０６）において、応答メッセージ、例えば無線メッセージを送信することによって無線通信可能装置（１０２）に応答できる。ＰＤＡ（１０６）、カメラ（１０８）及びアクセスポイント（１１０）もまた、要求メッセージを受信できるが、それらが要求されたサービスのタイプを提供しないので、要求メッセージに応答できない。あるいはまた、ステップ（Ｓ３０２）において受信されたリクエストは、サービスタイプにかかわらず、ローカル装置が提供するサービスの表示を提供するための一般的なリクエストであり得る。この場合、ＰＤＡ（１０６）、カメラ（１０８）、アクセスポイント（１１０）等は、それに従って応答できる。
[００３８] 応答メッセージは、装置によって提供されるサービスに関する情報を含み得る。例えば、プリンタ（１０４）によって送信される応答メッセージは、プリンタ（１０４）によって提供される印刷サービスに関する情報を含み得る。応答メッセージは、プリンタ（１０４）が、カラープリンタであるか、ページの両面に印刷可能か、及び／又は、又は他の情報に関する情報と共に、符号化され得る。サービスに関する情報は、後述の情報要素（ＩＥ）として送信され得る。その後、装置（１０２）が接続を確立することを望む場合、装置（１０２）が所望のサービスを取得できるようにステップ（Ｓ３０８）において接続を確立できる。］
　　
（２）刊行物１発明
　刊行物１には、例えばラップトップコンピュータである無線通信可能装置に関して開示されており、この無線通信可能装置は、その近傍にある所望のサービスを提供する装置を見出すことを可能にするため、無線メッセージを送受信することにより、ローカル装置によって提供されるサービスを検索するものである（[００２１]）。また、このサービス検索の実施形態は、無線通信可能装置が無線で通信できる他の装置（プリンタ（１０４）、携帯情報端末（ＰＤＡ）（１０６）、カメラ（１０８）、アクセスポイント（１１０））のサービスを検索するものであり（[００２４]）、そのために、特定のサービスをリクエストする要求メッセージをブロードキャストするものである（[００２７]）。
　したがって、刊行物１には、「無線通信可能装置（１０２）」において、「例えばラップトップコンピュータである無線通信可能装置（１０２）の近傍（１１６）における無線で通信できる他の装置（プリンタ（１０４）、携帯情報端末（ＰＤＡ）（１０６）、カメラ（１０８）、アクセスポイント（１１０））のサービスを検索するために、特定のサービスをリクエストする要求メッセージをブロードキャスト」することが記載されていると認められる。
（なお、（１０２）などの数は刊行物１の図面の符号を、[００２１]などの数は刊行物１の段落番号を示す。以下同じ。）
　
　刊行物１のラップトップコンピュータである無線通信可能装置は、近くの装置（上記した近傍における無線で通信できる他の装置）と無線メッセージ（要求メッセージ、応答メッセージ）を交換して画面にサービスを提供する近くの装置のリストを表示し、無線接続を確立する適切な装置を選択するものである（[００１７][００２１][００３７][００３８]）。
　したがって、刊行物１には、「無線通信可能装置（１０２）」において、「前記他の装置（１０４、１０６、１０８、１１０）からの応答メッセージに基づいて無線接続を確立する装置を選択」することが記載されていると認められる。
　
　刊行物１のプリンタなどの装置（前記他の装置）は、接続を確立するための認証を要求し得るものがあり、認証が要求される場合、無線通信可能装置のユーザはパスワード等を入力するよう促されるものである。（［００３１］）
　したがって、刊行物１には、「前記他の装置（１０４、１０６、１０８、１１０）は接続を確立するための認証を要求し得るものがあり、認証が要求される場合、無線通信可能装置（１０２）のユーザはパスワード等を入力するよう促され」ることが記載されていると認められる。
　
　刊行物１の無線通信可能装置は、選択したプリンタなどの他の装置との接続を確立するものである（[００２１][００３１][００３８]）。
　したがって、刊行物１には、「前記無線通信可能装置（１０２）は、前記他の装置（１０４、１０６、１０８、１１０）との接続を確立する無線通信可能装置（１０２）」が記載されていると認められる。
　
　以上をまとめると、刊行物１には、次の発明（以下「刊行物１発明」という）が記載されていると認められる。
　
　例えばラップトップコンピュータである無線通信可能装置（１０２）の近傍（１１６）における無線で通信できる他の装置（プリンタ（１０４）、携帯情報端末（ＰＤＡ）（１０６）、カメラ（１０８）、アクセスポイント（１１０））のサービスを検索するために、特定のサービスをリクエストする要求メッセージをブロードキャストし、
　前記他の装置（１０４、１０６、１０８、１１０）からの応答メッセージに基づいて無線接続を確立する装置を選択し、
　前記他の装置（１０４、１０６、１０８、１１０）は接続を確立するための認証を要求し得るものがあり、認証が要求される場合、無線通信可能装置（１０２）のユーザはパスワード等を入力するよう促され、
　前記無線通信可能装置（１０２）は、前記他の装置（１０４、１０６、１０８、１１０）との接続を確立する無線通信可能装置（１０２）。
　
３．対比
　本願発明と刊行物１発明とを対比する。
　
（１）「ローカルエリアにおける複数の無線ＭＤＤＩクライアント能力機器に関する情報を収集するためにサービス発見処理を実行し、」
　
　本願発明のクライアント能力機器は、実施例では、例えばホストに画像の表示サービスを提供するディスプレイである（【図１】、【００２６】【００２８】）。
　刊行物１発明の他の装置（プリンタ（１０４）、携帯情報端末（ＰＤＡ）（１０６）、カメラ（１０８）、アクセスポイント（１１０））は、無線通信可能装置（１０２）の近傍（１１６）における無線で通信できる機器であり、無線通信可能装置（１０２）にプリントなどのサービスを提供するものであって、ローカルエリアにおける複数の無線クライアント能力機器といえるものである。
　また、刊行物１発明は、該他の装置のサービスを検索するために、特定のサービスをリクエストする要求メッセージをブロードキャストするものであるから、クライアント能力機器に関する情報を収集するためにサービス発見処理を実行するといえる。
　したがって、本願発明と刊行物１発明とは、「ローカルエリアにおける複数の無線クライアント能力機器に関する情報を収集するためにサービス発見処理を実行」する点で共通するといえる。ただし、無線クライアント能力機器が、本願発明では、「無線ＭＤＤＩクライアント能力機器」であるのに対し、刊行物１発明では、ＭＤＤＩとは特定されていない点では両者は相違する。
　
（２）「前記複数の無線ＭＤＤＩクライアント能力機器のうち少なくとも１つと結合するための要求を受信し、」
　
　本願発明における「結合するための要求を受信」とは、実施例では、例えば、結合する機器をユーザが選択することである（【００５４】）。
　刊行物１発明は、前記他の装置（１０４、１０６、１０８、１１０）からの応答メッセージに基づいて無線接続を確立する装置を（ユーザが）選択するから、前記複数の無線クライアント能力機器のうち少なくとも１つと結合するための要求を受信するものであるといえる。
　したがって、本願発明と刊行物１発明とは、ＭＤＤＩ機器である点を除いて、「前記複数の無線クライアント能力機器のうち少なくとも１つと結合するための要求を受信」する点で共通するといえる。
　
（３）「前記複数の無線ＭＤＤＩクライアント能力機器の各々のセキュリティ能力を判断し、」
　
　刊行物１発明は、前記他の装置（１０４、１０６、１０８、１１０）は接続を確立するための認証を要求し得るものがあり、認証が要求される場合、無線通信可能装置（１０２）のユーザはパスワード等を入力するよう促されるものであるから、無線通信可能装置は、他の装置が認証を要求しているか否かを判断してユーザにパスワード等の入力を促すか否かを決定しているといえる。すなわち、刊行物１発明は、「前記複数の無線クライアント能力機器の各々のセキュリティ能力を判断」するものといえ、ＭＤＤＩ機器である点を除いて、この点で、本願発明と刊行物１発明とは共通するといえる。
　
（４）「セキュリティ結合手順を実行し、」
　
　刊行物１発明のパスワード等による認証を行って接続を確立することは、「セキュリティ結合手順を実行」することといえる。
　したがって、本願発明と刊行物１発明とは、「セキュリティ結合手順を実行」する点で一致する。
　
（５）「前記複数の無線ＭＤＤＩクライアント能力機器のうち少なくとも１つと結合し、」
　
　刊行物１発明は、前記他の装置（１０４、１０６、１０８、１１０）との接続を確立するものであるから、本願発明と刊行物１発明とは、ＭＤＤＩ機器である点を除いて、「前記複数の無線クライアント能力機器のうち少なくとも１つと結合」する点で共通するといえる。
　
（６）「送信するデータの大きさ、または、順方向と逆方向の期待されるトラフィック比率に基づいてチャネル時間割り当てを設定することに関する命令」
　
　本願発明では、「送信するデータの大きさ、または、順方向と逆方向の期待されるトラフィック比率に基づいてチャネル時間割り当てを設定することに関する命令」をメモリに保持するのに対し、刊行物１発明では、そのような命令を保持することは特定されていない点で両者は相違する。
　
（７）「命令を保持するメモリと、前記メモリに結合され、前記メモリに保持された命令を実行するように構成されたプロセッサと、を備える無線通信装置。」
　
　刊行物１発明の無線通信可能装置は、例えばラップトップコンピュータであり、コンピュータが、命令を保持するメモリと、前記メモリに結合され、前記メモリに保持された命令を実行するように構成されたプロセッサとを備えるのは当然のことである。また、上記（１）−（５）で述べた刊行物１発明における処理が、これらのメモリ、プロセッサにより命令を実行して行われることも当業者には自明なことである。
　したがって、本願発明と刊行物１発明とは、「命令を保持するメモリと、前記メモリに結合され、前記メモリに保持された命令を実行するように構成されたプロセッサと、を備える無線通信装置。」である点で一致する。
　
（８）一致点、相違点
　以上をまとめると、本願補正発明と刊行物１発明の一致点及び相違点は次のとおりである。
　
［一致点］
　ローカルエリアにおける複数の無線クライアント能力機器に関する情報を収集するためにサービス発見処理を実行し、前記複数の無線クライアント能力機器のうち少なくとも１つと結合するための要求を受信し、前記複数の無線クライアント能力機器の各々のセキュリティ能力を判断し、セキュリティ結合手順を実行し、前記複数の無線クライアント能力機器のうち少なくとも１つと結合することに関する命令を保持するメモリと、
　前記メモリに結合され、前記メモリに保持された命令を実行するように構成されたプロセッサと、
　を備える無線通信装置。
　
［相違点］
（相違点１）
　無線クライアント能力機器が、本願発明では、「無線ＭＤＤＩクライアント能力機器」であるのに対し、刊行物１発明では、ＭＤＤＩとは特定されていない点。
　
（相違点２）
　本願発明では、「送信するデータの大きさ、または、順方向と逆方向の期待されるトラフィック比率に基づいてチャネル時間割り当てを設定する」ことに関する命令をメモリに保持するのに対し、刊行物１発明では、そのようなことに関する命令を保持することは特定されていない点。
　
４．当審の判断
　これらの相違点について検討する。
　
（相違点１）について
　ＭＤＤＩ（モバイル・ディスプレイ・デジタル・インターフェース）は、モバイル機器とカメラやディスプレイとのインターフェース規格であって、本願出願時には当業者によく知られたものであり、それを無線のデジタル通信で用いることも、よく知られた事項である（後述の（＊）を参照）。
　刊行物１では、前記他の装置で用いる下位層の無線規格としては、８０２．１１ｘやＵＷＢなどが例示されている（【００１４】）が、それらの上位の層の規格については特に記載がない。しかしながら、前記他の装置は、プリンタ、ＰＤＡ、カメラ、アクセスポイントなどであるから、カメラとのインターフェース規格であるＭＤＤＩをその通信規格として用いることは当業者が自然に想定し得ることである。
　したがって、刊行物１発明において、前記他の装置で用いる通信規格として、よく知られた無線ＭＤＤＩを用い、無線クライアント能力機器を「無線ＭＤＤＩクライアント能力機器」とすることは当業者が容易に想到し得ることである。
　
（相違点２）について
　本願発明における「送信するデータの大きさ、または、順方向と逆方向の期待されるトラフィック比率に基づいてチャネル時間割り当てを設定する」とは、「送信するデータの大きさに基づいてチャネル時間割り当てを設定する」または「順方向と逆方向の期待されるトラフィック比率に基づいてチャネル時間割り当てを設定する」のいずれか一方のみが成り立つ場合も含むと解される（【０２７３】）ところ、通信装置において、少なくとも前者の「送信するデータの大きさに基づいてチャネル時間割り当てを設定する」ことは、本願出願時においてよく知られた周知の技術（後述の（＊＊）を参照）であるから、刊行物１発明の通信装置において、チャネル時間割り当てを、そのような周知の、送信するデータの大きさに基づいてチャネル時間割り当てを設定する構成を採用することは、当業者が必要に応じて適宜なし得ることであり、容易に想到し得ることである。
　
　相違点１、相違点２を総合して勘案しても格別のものはなく、本願発明は、刊行物１発明及び周知技術に基づいて、当業者が容易に発明をすることができたものであり、格別の効果もない。
　
（＊）例えば、特表２００４−５３１９１６号公報には、以下の記載がある（下線部は当審において付加した）。
「【００２４】
１．概要
［００８１］この発明の一般的な意図は、以下に述べるように、「シリアル」タイプのデータリンクまたはチャネルを用いて、ホスト装置と表示装置との間の短距離通信リンクを介して高速のまたは非常に高速のデータ転送を可能にする、費用対効果の良い、低電力消費の、転送機構を生じるまたは供給する
移動表示デジタルインタフェース（ＭＤＤＩ）
【００２５】
［００８２］この発明は大量のデータ、一般には、オーディオ、ビデオ、またはマルチメディアアプリケーション用のデータを、そのようなデータが発生されまたは記憶されるホスト装置またはソース装置から、クライアントのディスプレイまたはプレゼンテーション装置に、高速に通信または転送するための種々の状況に使用することができる。以下に述べる典型的なアプリケーションは、ポータブルコンピュータまたは無線電話またはモデムから、ゴーグルの形態、または小型の投影レンズおよびスクリーンを含むヘルメットの形態のような、小型のビデオスクリーンまたは身につけられるマイクロディスプレイ装置のようなビジュアル表示装置にデータを転送することである。
【００２６】
［００８３］ＭＤＤＩの特性または属性は、特定の表示技術に無関係であるということである。これはデータの内部構造に関係なく、かつ機構が実行するデータまたはコマンドの機能的側面に関係無く、データを転送するための高度に柔軟性のある機構である。これは転送されるデータパケットのタイミングを、特殊な表示装置の特異な性格、またはある装置に対する固有の表示願望に適合するように、またはあるＡ−Ｖシステムのための組み合わされたオーディオとビデオの要件に適合するように調節可能にする。このインタフェースは、選択されたプロトコルを遵守する限り、まさに表示素子であり、またはクライアント装置は寛容である。さらに、総計のシリアルリンクデータまたはデータレートは、通信システムまたはホスト装置の設計者が、コスト、電力要件、クライアント装置の複雑性、および表示装置更新レートを最適にすることを可能にするいくつかのオーダーの重要性に対して変化することができる。
【００２７】
［００８４］
データインタフェースは、「有線」の信号リンクまたは小型のケーブルを介して大量の高速データを送信するのに主に存在している。しかしながら、いくつかのアプリケーションは、そのインターフェースに対して開発された同じパケットとデータ構造を用いるように構成され、十分に低い電力消費または実用的な複雑さで所望のレベルの転送を支持することができるなら、光学ベースリンクを含む、無線リンクも同様にうまく利用してもよい。
　
（＊＊）例えば、拒絶査定で提示された特開２００２−１６５２４８号公報には、以下の記載がある。「タイムスロットの割当」が本願発明の「チャネル時間割り当て」に相当するものである（下線部は当審において付加した）。
「【請求項１】  
複数のタイムスロットからなるフレームを周期として、基地局と複数の加入者局との間で基地局が割り当てたタイムスロットを使用してデータ送受信を行う無線アクセスシステムにおいて
前記基地局は、
各加入者局宛のデータを複数のデータ種別毎に分類して蓄積する複数の下り送信バッファと、
前記複数の下り送信バッファのうちの特定のデータ種別の下り送信バッファを除いた下り送信バッファのそれぞれに蓄積したデータの合計量である
下り合計データ量をもとに下りタイムスロットを割り当てる
前記下り回線スロット割当手段による下りタイムスロットの割当結果をもとに前記下り送信バッファに蓄積されたデータの入出力処理を行う基地局入出力制御手段と、
前記各加入者局から通知された
上り合計データ量をもとに上りタイムスロットを割り当て
各加入者局は、
基地局宛のデータを前記複数のデータ種別毎に分類して蓄積する複数の上り送信バッファと、
前記複数の上り送信バッファのうちの特定のデータ種別の上り送信バッファを除いた上り送信バッファのそれぞれに蓄積したデータの合計量である前記上り合計データ量を前記基地局に通知する加入者局スロット割当手段と、
前記基地局から通知される割当結果をもとに前記上り送信バッファに蓄積されたデータの入出力処理を行う加入者局入出力制御手段とを備えたことを特徴とする無線アクセスシステム。」
　
第４．むすび
　以上のとおりであるから、本願の請求項７に係る発明は、特許法第２９条第２項の規定により特許を受けることができない。
　したがって、本願は、その余の請求項について論及するまでもなく、拒絶すべきものである。
　よって、結論のとおり審決する。